(57)【要約】【課題】少ない部品点数で作業性良く組み付けでき、遮光性、見栄えも良くすることができる指針構造を提供する。【解決手段】指針構造において、文字板の表面に沿って配置される指針先端側の指針視認部８５に指針屈曲部７１を介して接続されて文字板の内縁部から裏側へ延設された指針首部７３を有する指針本体５５と、指針屈曲部７１の内隅側を覆う屈曲片部７７を有する第１側壁７９と底壁８３を介して接続されて対峙する第２側壁８１とで指針首部７３より指針基端側の指針本体５５を挟む樋状の指針主カバー５７と、指針視認部８５を表出する窓部８７が穿設され、指針視認部８５の視認部両側面８９、指針屈曲部７１の出隅側、及び指針首部の首部両側面９１を覆うＬ字状カバー部９３を有し、第１側壁７９と第２側壁８１との離間開口部９９を閉鎖する指針蓋部９７がＬ字状カバー部９３に接続された指針副カバー５９と、を設けた。【選択図】図４
2014106055.tif 000002
【特許請求の範囲】
【請求項１】
文字板の表面に沿って配置される指針先端側の指針視認部に指針屈曲部を介して接続されて前記文字板の縁部から裏側へ延設された指針首部を有する指針本体と、
前記指針屈曲部の内隅側を覆う屈曲片部を有する第１側壁と底壁を介して接続されて対峙する第２側壁とで前記指針首部より指針基端側の前記指針本体を挟む樋状の指針主カバーと、
前記指針視認部を表出する窓部が穿設され、前記指針視認部の視認部両側面、前記指針屈曲部の出隅側、及び前記指針首部の首部両側面を覆うＬ字状カバー部を有し、前記第１側壁と前記第２側壁との離間開口部を閉鎖する指針蓋部が前記Ｌ字状カバー部に接続された指針副カバーと、
を備えることを特徴とする指針構造。
【請求項２】
請求項１記載の指針構造であって、
前記指針蓋部が、前記第１側壁及び前記第２側壁と前記指針蓋部との間に設けられる爪係合構造によって前記離間開口部に固定されることを特徴とする指針構造。
【発明の詳細な説明】
【技術分野】
【０００１】
本発明は、指針構造に関する。
【背景技術】
【０００２】
車両用の指針装置として、回転指針用の文字板の中央部分に液晶ディスプレ（ＬＣＤ）などの表示器を配置したものが知られている。そして、通常の回転指針用の文字板の表面側に表示器を配置すれば、指針によって表示器の視認が邪魔されることなく、文字板の中央部に表示器を配置することができる。
しかしながら、文字板が例えば車速などの重要な情報を表示し、表示器が現在時刻などの比較的重要でない情報を表示する場合などは、文字板を表示器の正面側に配置して、文字板の視認性をより高めたいという要望があった。
【０００３】
そこで、図５に示すような指針装置では、例えば車速を示す指標が形成された文字板６００の裏面側にＬＣＤ６１０を設け、文字板６００の中央部に穿設した開口６０１から裏面側に設けられたＬＣＤ６１０が露出されている。さらに、指針装置は、文字板６００に設けられた指標を指示する指針６２０と、電子部品を搭載した基板６３０と、該基板６３０に搭載されて指針６２０を回転駆動する内機６４０とを有している（例えば、特許文献１参照）。
【０００４】
上記指針６２０は、内機６４０からＬＣＤ６１０の背面、ＬＣＤ６１０の外側面、ＬＣＤ６１０と文字板６００との間、文字板６００の内縁側及び表面側の順に沿って設けられている。つまり、指針６２０は、文字板６００とＬＣＤ６１０との間で折りかえされる略Ｓ字状の形状となっている。この構成によれば、文字板６００の裏面側にＬＣＤ６１０を配置しても、指針６２０によってＬＣＤ６１０の視認が邪魔されることがない。
【０００５】
ところで、上記の指針６２０には、より視認性を高めるために自発光させたいという要望があった。この場合、例えば、上記基板６３０に内機６４０の回転軸を囲むように複数のＬＥＤ光源が設けられると共に指針６２０の指針本体が導光部材で構成され、内機６４０側から受光した光源からの光が指針本体の先端側の指針視認部に導かれるように構成することが考えられる。更に、このような自発光式指針装置に使われる指針本体は、光漏れ防止のため、遮光性を有する指針カバーによって覆われる構成とされる。
【０００６】
図６は指針本体が指針カバーによって覆われる自発光式指針の参考例を示す要部分解斜視図である。
図６に示した自発光式指針の指針構造では、指針本体５０１が、視認部カバー５０３と、本体部カバー５０５と、蓋カバー５０７との３部材によって覆われる。
指針本体５０１は、図５に示した文字板６００の表面に沿って配置される指針視認部５１５と、指針視認部５１５に指針屈曲部５１１を介して接続されて文字板６００の内面側から裏面側へ延在する指針首部５１３と、指針首部５１３の指針基端側に接続されたコ字状屈曲部５１４とを有し、先端側が略Ｓ字状の形状となっている。
視認部カバー５０３は、指針視認部５１５を表出する窓部５１７が穿設されて略Ｌ字状に形成される。本体部カバー５０５は、指針屈曲部５１１の内隅側を覆う屈曲片部５１９を第１側壁５２１に有し、この第１側壁５２１とで指針本体５０１を挟む第２側壁５２３が底壁５２５を介して接続された樋状に形成されている。蓋カバー５０７は、第１側壁５２１と第２側壁５２３との離間開口部５２７を閉鎖する。
この指針構造によれば、指針本体５０１の指針首部５１３及びコ字状屈曲部５１４が本体部カバー５０５に収容され、本体部カバー５０５の離間開口部５２７に蓋カバー５０７が装着され、指針本体５０１の指針視認部５１５に視認部カバー５０３が被せられることで、指針本体５０１からの光漏れが防止される。
【先行技術文献】
【特許文献】
【０００７】
【特許文献１】特開２００５−１８１３０１号公報
【発明の概要】
【発明が解決しようとする課題】
【０００８】
しかしながら、図６に示した参考例の指針構造は、指針本体５０１を覆うために、視認部カバー５０３と、本体部カバー５０５と、蓋カバー５０７との３部材が必要となり、部品点数が多く、組み付け性が低下するという問題があった。また、別体の視認部カバー５０３と本体部カバー５０５及び蓋カバー５０７との突き合わせ接続部５２９が、文字板の表面側に配置されるため、見栄えに課題があり、光漏れを生じる虞もあった。
【０００９】
本発明は上記状況に鑑みてなされたもので、その目的は、少ない部品点数で作業性良く組み付けでき、遮光性、見栄えも良くすることができる指針構造を提供することにある。
【課題を解決するための手段】
【００１０】
本発明に係る上記目的は、下記構成により達成される。
（１）  文字板の表面に沿って配置される指針先端側の指針視認部に指針屈曲部を介して接続されて前記文字板の縁部から裏側へ延設された指針首部を有する指針本体と、前記指針屈曲部の内隅側を覆う屈曲片部を有する第１側壁と底壁を介して接続されて対峙する第２側壁とで前記指針首部より指針基端側の前記指針本体を挟む樋状の指針主カバーと、前記指針視認部を表出する窓部が穿設され、前記指針視認部の視認部両側面、前記指針屈曲部の出隅側、及び前記指針首部の首部両側面を覆うＬ字状カバー部を有し、前記第１側壁と前記第２側壁との離間開口部を閉鎖する指針蓋部が前記Ｌ字状カバー部に接続された指針副カバーと、を備えることを特徴とする指針構造。
【００１１】
上記（１）の構成の指針構造によれば、指針本体を指針主カバーと指針副カバーの２部材で覆うことができ、部品点数が削減される。
また、Ｌ字状カバー部は、指針蓋部に一体に形成されると共に、Ｌ字状カバー部と指針主カバーの突き合わせ接続部が、指針首部より指針基端側である文字板の裏面側に配置されるので、文字板の表面側への光漏れが生じなくなる。
更に、突き合わせ接続部が減ることにより、意匠性を向上させることができる。
そして、指針本体への組み付けの際は、指針主カバーに指針本体を収容した後、屈曲片部の斜め上方から指針副カバーのＬ字状カバー部を接近させ、Ｌ字状カバー部の下方から指針視認部を差し入れる。これと同時に、Ｌ字状カバー部に接続された指針蓋部を第１側壁と第２側壁との離間開口部に装着でき、一方向の組み付け動作で指針副カバーを指針主カバーに組み付けることが可能となる。
【００１２】
（２）  上記（１）の構成の指針構造であって、前記指針蓋部が、前記第１側壁及び前記第２側壁と前記指針蓋部との間に設けられる爪係合構造によって前記離間開口部に固定されることを特徴とする指針構造。
【００１３】
上記（２）の構成の指針構造によれば、Ｌ字状カバー部の下方から指針視認部を差し入れ、同時に、Ｌ字状カバー部に接続された指針蓋部を第１側壁と第２側壁との離間開口部に装着する際、一方向の組み付け動作のまま、指針蓋部を指針主カバーに押しつけることで、指針蓋部を爪係合構造によって離間開口部に容易に固定できる。
【発明の効果】
【００１４】
本発明に係る指針構造によれば、少ない部品点数で作業性良く組み付けでき、遮光性、見栄えも良くすることができる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】本発明の一実施形態に係る指針構造を備える自発光式指針が設けられたコンビネーションメータの正面図である。
【図２】図１に示したコンビネーションメータの縦断面図である。
【図３】図２に示した自発光式指針の全体斜視図である。
【図４】図３に示した自発光式指針の要部分解斜視図である。
【図５】（Ａ）は従来の指針装置の一例を示す正面図であり、（Ｂ）は（Ａ）に示す指針装置の部分断面図である。
【図６】自発光式指針の参考例を示す要部分解斜視図である。
【発明を実施するための形態】
【００１７】
以下、本発明に係る実施形態を図面を参照して説明する。
図１に示すように、本実施形態に係る指針構造は、コンビネーションメータ１１の自発光式指針１３に好適に用いることができる。コンビネーションメータ１１は、例えば車両の図示しないインストルメントパネルに取り付けられる。コンビネーションメータ１１には、車両の速度を指示する速度計１５と、表示器であるＬＣＤ１７を用いたマルチ表示部１９と、ターンＬ表示部２１と、ターンＲ表示部２３と、燃料残量を指示する燃料計２５と、水温を指示する水温計２７と、シートベルト非着用やヘッドランプ消し忘れ用のウォーニング２９と、が設けられている。
【００１８】
図２に示すように、これら速度計１５、マルチ表示部１９、ターンＬ表示部２１、ターンＲ表示部２３、燃料計２５、水温計２７、ウォーニング２９は、コンビネーションメータ１１のケーシング３１に収容されている。ケーシング３１の正面には見返し３３（図１参照）が取り付けられ、見返し３３はケーシング３１に収容された配線基板３５や駆動部３７などを隠す。また、ケーシング３１の正面側には表ガラス３９が取り付けられている。
【００１９】
速度計１５は、自発光式指針装置４１を備える。自発光式指針装置４１は、自発光式指針１３、文字板４３、ＬＣＤ１７の背面に配置された駆動部３７、この駆動部３７により回転する回転軸４５、駆動部３７の実装される配線基板３５、配線基板３５を車体側ワイヤーハーネスと接続する外部接続用コネクタ４７を備える。文字板４３は、中央に略円形の穴４９が設けられた正面視ドーナツ状に形成され、その外周に沿って速度目盛５１が形成されている。ＬＣＤ１７は、文字板４３の背面に配置され、文字板４３の穴４９を通じて、正面から視認可能となっている。つまり、ＬＣＤ１７が、文字板４３の内縁部（縁部）５３によって囲まれた形となっている。
【００２０】
本実施形態に係る指針構造を備えた自発光式指針１３は、図３に示すように、指針本体５５と、指針主カバー５７と、指針副カバー５９と、指針バランス部６１を有した指針支え６３と、を有する。指針本体５５の指針基端側には光導入部６５が形成される。指針本体５５は、図示しない光源からの光を入光させ、内部での伝搬を可能とする導光部材である透明な樹脂材からなる。樹脂材料としては、特に限定されないが、透過率や成形性の面からＰＭＭＡ（ポリメタクリ酸メチル）、ＰＣ（ポリカーボネート）、ＰＳ（ポリスチレン）、ＣＯＰ（環状オレフィンポリマー）などを用いることができる。指針主カバー５７及び指針副カバー５９は、遮光性を有する材料や遮光膜を形成することにより、後述する窓部８７以外からの文字板４３の表面側への光の出射を遮蔽している。
【００２１】
本実施形態の指針本体５５は、指針先端側の指針視認部８５が文字板４３の表面６９に沿って配置される。図４に示すように、指針本体５５は、指針視認部８５に指針屈曲部７１を介して接続されて文字板４３の内縁部５３から文字板４３の裏側へ延設された指針首部７３を有する。指針首部７３の指針基端側には更にコ字状屈曲部７５が接続されることで、指針本体５５の先端側は略Ｓ字状の形状となっている。これにより、駆動部３７がＬＣＤ１７の背面側にあった場合でも、指針視認部８５がＬＣＤ１７より正面側に配置された文字板４３上の速度目盛５１を指示することができ、意匠性の向上を図ることができる。
【００２２】
本実施形態の指針主カバー５７は、指針屈曲部７１の内隅側を覆う屈曲片部７７を有する第１側壁７９と底壁８３を介して接続されて対峙する第２側壁８１とで指針首部７３より指針基端側の指針本体５５を挟む樋状に形成されている。図３に示したように、指針主カバー５７は、指針本体５５の先端側となるＳ字形状部位のみに装着される。
【００２３】
本実施形態の指針副カバー５９は、指針視認部８５を表出する窓部８７が穿設され、指針視認部８５の視認部両側面８９、指針屈曲部７１の出隅側、及び指針首部７３の首部両側面９１を覆うＬ字状カバー部９３を有し、首部両側面９１の一方を覆うＬ字状カバー側壁９５には第１側壁７９と第２側壁８１との離間開口部９９を閉鎖する指針蓋部９７が接続されている。
【００２４】
離間開口部９９を閉鎖する指針蓋部９７は、第１側壁７９及び第２側壁８１と指針蓋部９７との間に設けられる爪係合構造によって離間開口部９９に固定される。本実施形態において、爪係合構造は、指針蓋部９７の幅を狭めて形成した係止括れ部１０１と、第１側壁７９及び第２側壁８１から離間開口部９９へ突出して係止括れ部１０１を係止する一対の係止爪１０３と、により構成されている。この他、爪係合構造は、指針蓋部９７の両側に突設した係止爪を第１側壁７９及び第２側壁８１に穿設した係止孔に係止する構造としてもよい。
【００２５】
次に、上記構成を有する指針構造の作用を説明する。
上記実施形態に係る指針構造では、指針本体５５を指針主カバー５７と指針副カバー５９の２部材で覆うことができ、部品点数が削減される。
【００２６】
また、図６の参考例に示した別体の視認部カバー５０３と本体部カバー５０５及び蓋カバー５０７との突き合わせ接続部５２９が、文字板の表面側に配置されたのに対し、本実施形態のＬ字状カバー部９３は、指針蓋部９７に一体に形成されると共に、Ｌ字状カバー部９３と指針主カバー５７の突き合わせ接続部９０が、指針首部７３より指針基端側である文字板４３の裏面側に配置されるので、文字板４３の表面側への光漏れが生じなくなる。更に、突き合わせ接続部９０が減ることにより、意匠性を向上させることができる。
【００２７】
そして、指針本体５５への組み付けの際は、指針主カバー５７に指針本体５５を収容した後、屈曲片部７７の斜め上方から指針副カバー５９のＬ字状カバー部９３を接近させ、Ｌ字状カバー部９３の下方から指針視認部８５を差し入れる。これと同時に、Ｌ字状カバー部９３に接続された指針蓋部９７を第１側壁７９と第２側壁８１との離間開口部９９に装着でき、一方向の組み付け動作で指針副カバー５９を指針主カバー５７に組み付けることが可能となる。
【００２８】
また、本実施形態の指針構造では、Ｌ字状カバー部９３の下方から指針視認部８５を差し入れ、同時に、Ｌ字状カバー部９３に接続された指針蓋部９７を第１側壁７９と第２側壁８１との離間開口部９９に装着する際、一方向の組み付け動作のまま、指針蓋部９７を指針主カバー５７に押しつけることで、指針蓋部９７を爪係合構造によって離間開口部９９に容易に固定できる。
【００２９】
従って、本実施形態に係る指針構造によれば、少ない部品点数で作業性良く組み付けでき、遮光性、見栄えも良くすることができる。
【００３０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３１】
例えば、上記実施形態の自発光式指針１３における指針本体５５は、指針視認部８５に指針屈曲部７１を介して接続されて文字板４３の内縁部５３から文字板４３の裏側へ延設された指針首部７３を有し、指針首部７３の指針基端側には更にコ字状屈曲部７５が接続されることで、先端側が略Ｓ字状に形成されたが、本発明の指針構造はこれに限定されるものではない。即ち、指針視認部に指針屈曲部を介して接続されて文字板の外縁部から文字板の裏側へ延設された指針首部を有し、指針首部の指針基端側に直線状延設部が接続されることで、先端側が略Ｊ字状に形成された指針本体を構成することもできる。
【符号の説明】
【００３２】
１３…自発光式指針
４３…文字板
５３…内縁部（縁部）
５５…指針本体
５７…指針主カバー
５９…指針副カバー
６９…表面
７１…指針屈曲部
７３…指針首部
７５…コ字状屈曲部
７７…屈曲片部
７９…第１側壁
８１…第２側壁
８３…底壁
８５…指針視認部
８７…窓部
８９…視認部両側面
９１…首部両側面
９３…Ｌ字状カバー部
９７…指針蓋部
９９…離間開口部
【図１】
2014106055.tif 000003
【図２】
2014106055.tif 000004
【図３】
2014106055.tif 000005
【図４】
2014106055.tif 000006
【図５】
2014106055.tif 000007
【図６】
2014106055.tif 000008